(57)【要約】【課題】従来のシャッタスラットは、シャッタスラットの長手方向に沿う中間位置の意匠部分に傷が生じてしまうので、傷が人目に付きやすく、美観を大きく損ねてしまう。【解決手段】本発明によるシャッタスラットは、スラット本体１が、シャッタカーテンがプーリに巻き取られた際に前記プーリの径方向に沿う内方又は外方に位置する他のシャッタスラットに当接されるように形成されており、このスラット本体１の長手方向Ｌに沿う両側部１ｓに、シャッタカーテンがプーリに巻き取られた際に前記巻取部材の径方向に沿う内方又は外方に位置する他のシャッタスラットに当接されるように、前記スラット本体１の前記長手方向Ｌに沿う中間部１ｍよりも前記スラット本体１の板厚方向Ｔに沿って突出された突出部５を設ける構成である。【選択図】図１
2010133228.tif 000002
【特許請求の範囲】
【請求項１】
長手状のスラット本体（１）と、このスラット本体（１）の短手方向（Ｓ）の両端に設けられるとともに前記スラット本体（１）の長手方向（Ｌ）に沿って延在されたカール形状の第１及び第２インターロック部（２，３）とを有し、
前記第１及び第２インターロック部（２，３）が他のシャッタスラットのインターロック部に係合されることで出入口を開閉するためのシャッタカーテン（４０）を構成するとともに、前記出入口の上部に設けられた巻取部材（３２）に前記シャッタカーテン（４０）が巻き取られた際に、前記巻取部材（３２）の径方向（Ｄ）に沿う内方又は外方に位置する他のシャッタスラットが前記スラット本体（１）に当接されるように形成されているシャッタスラットであって、
前記スラット本体（１）の前記長手方向（Ｌ）に沿う両側部（１ｓ）に設けられ、前記シャッタカーテン（４０）が前記巻取部材（３２）に巻き取られた際に前記巻取部材（３２）の径方向（Ｄ）に沿う内方又は外方に位置する他のシャッタスラットに当接されるように、前記スラット本体（１）の前記長手方向（Ｌ）に沿う中間部（１ｍ）よりも前記スラット本体（１）の板厚方向（Ｔ）に沿って突出された突出部（５）
を備えていることを特徴とするシャッタスラット。
【請求項２】
前記第１及び第２インターロック部（２，３）の少なくとも一方は、前記スラット本体（１）の前記突出部（５）が突出された側の面に連続された面が、前記巻取部材（３２）の径方向（Ｄ）に沿う内方又は外方に位置する他のシャッタスラットに当接されるように形成されており、
前記第１及び第２インターロック部（２，３）の前記少なくとも一方の前記長手方向（Ｌ）に沿う両側部（３ｓ）には、前記少なくとも一方の前記長手方向（Ｌ）に沿う中間部（３ｍ）の第１外径（Ｒ１）よりも大きな第２外径（Ｒ２）を有する膨径部（６）が設けられていることを特徴とする請求項１記載のシャッタスラット。
【請求項３】
前記突出部（５）は、前記両側部（１ｓ）が押し出されて形成されていることを特徴とする請求項１又は請求項２に記載のシャッタスラット。
【請求項４】
前記突出部（５）は、前記両側部（１ｓ）にシート部材（７０）が貼り付けられて形成されていることを特徴とする請求項１又は請求項２に記載のシャッタスラット。
【請求項５】
前記突出部（５）は、前記両側部（１ｓ）に前記長手方向（Ｌ）の外方からキャップ部材（８０）が係合されて形成されていることを特徴とする請求項１又は請求項２に記載のシャッタスラット。
【請求項６】
前記突出部（５）は、前記両側部（１ｓ）から前記長手方向（Ｌ）に沿って延出された突片（６５）が前記両側部（１ｓ）に重なるように折り曲げられて形成されていることを特徴とする請求項１又は請求項２に記載のシャッタスラット。
【請求項７】
前記スラット本体（１）の前記両側部（１ｓ）に設けられるとともに、前記両側部（１ｓ）の前記短手方向（Ｓ）に沿ういずれか一方の端部に設けられた切欠部（２００）をさらに有し、
前記突出部（５）は、前記長手方向（Ｌ）に関して前記切欠部（２００）よりも内側に設けられていることを特徴とする請求項１から請求項６までのいずれか１項に記載のシャッタスラット。
【請求項８】
前記突出部（５）は、前記中間部（１ｍ）の第１端面（Ｓ１）よりも前記板厚方向（Ｔ）に沿って突出された第２端面（Ｓ２）を有しており、
前記第２端面（Ｓ２）の前記短手方向（Ｓ）に沿う両端には、前記長手方向（Ｌ）に沿う幅が前記短手方向（Ｓ）に沿う中間位置における幅よりも広くされた幅広部（２１０）が設けられていることを特徴とする請求項１から請求項７までのいずれか１項に記載のシャッタスラット。
【請求項９】
前記突出部（５）は、前記中間部（１ｍ）の第１端面（Ｓ１）よりも前記板厚方向（Ｔ）に沿って突出された第２端面（Ｓ２）を有しており、
前記第２端面（Ｓ２）の延在方向（２２０）は、前記短手方向（Ｓ）に対して傾斜されていることを特徴とする請求項１から請求項７までのいずれか１項に記載のシャッタスラット。
【請求項１０】
前記スラット本体（１）は、中央板部（１ａ）と、前記短手方向（Ｓ）に沿う前記中央板部（１ａ）の両端から屈曲された第１及び第２脚部（１ｂ，１ｃ）とを有しており、
前記突出部（５）は、前記中間部（１ｍ）の第１端面（Ｓ１）よりも前記板厚方向（Ｔ）に沿って突出された第２端面（Ｓ２）を有しており、
前記第２端面（Ｓ２）は、前記中央板部（１ａ）の上方において平坦に形成されていることを特徴とする請求項１から請求項９までのいずれか１項に記載のシャッタスラット。
【請求項１１】
前記スラット本体（１）の前記両側部（１ｓ）は、前記出入口の高さ方向（Ｈ）に沿って延在されるとともに前記高さ方向（Ｈ）に沿う前記シャッタカーテン（４０）の変位を案内するガイドレール（５０）の案内溝（５０ａ）内に挿入される部分であり、
前記突出部（５）は、前記両側部（１ｓ）が前記長手方向（Ｌ）に沿って前記案内溝（５０ａ）の開口部（５０ｂ）から抜け出ることを規制する突出量を有していることを特徴とする請求項１から請求項１０までのいずれか１項に記載のシャッタスラット。
【発明の詳細な説明】
【技術分野】
【０００１】
本発明は、シャッタスラットに関し、特に、シャッタカーテンが巻取部材に巻き取られた際に前記巻取部材の径方向に沿う内方又は外方に位置する他のシャッタスラットに当接されるように、スラット本体の長手方向に沿う両側部に、前記スラット本体の前記長手方向に沿う中間部よりも前記スラット本体の板厚方向に沿って突出された突出部を設けることで、シャッタスラットの意匠部分に傷が生じることを防止でき、より確実に美観を保つことができるようにするための新規な改良に関するものである。
【背景技術】
【０００２】
一般的に、店舗の正面口や住宅の窓等の出入口には、この出入口を開閉するためのシャッタ装置が設けられている。このシャッタ装置には、前記出入口の上部に設けられた巻取部材と、この巻取部材に連結されたシャッタカーテンとが設けられており、前記出入口が開かれる際には前記シャッタカーテンが前記巻取部材に巻き取られる。
前記シャッタカーテンは、互いに連結された複数のシャッタスラットによって構成されており、前記シャッタカーテンが前記巻取部材に巻き取られた際には、前記巻取部材の径方向に沿って前記シャッタスラットが互いに重ねられる。このため、シャッタスラット同士が擦れ合ってしまい、シャッタスラットに傷が生じ、美観を損ねてしまうことがある。
【０００３】
そこで、例えば下記の特許文献１等では、以下のような構成が提案されている。図２２は、従来のシャッタスラットを示す側面図である。図において、巻取部材であるプーリ３２には、互いに連結された複数のシャッタスラット１０によって構成されたシャッタカーテン４０が巻き取られている。各シャッタスラット１０の裏面１０ｂからは、断面略Ｆ字状の突起部９０が突出されており、この突起部９０は、前記シャッタスラット１０の長手方向Ｌ全体に延在されている。前記突起部９０の先端には断面略コ状の膨出部９１が設けられており、この膨出部９１のみが、重ねられたシャッタスラット１０の表面１０ｆに当接されている。すなわち、従来のシャッタスラットでは、シャッタスラット１０の裏面１０ｂから突起部９０を突出させることで、重ねられたシャッタスラット１０同士の接触部分が狭くされ、シャッタスラット１０に傷が生じにくくされている。
【先行技術文献】
【特許文献】
【０００４】
【特許文献１】実開平７−２６５９２号公報
【発明の概要】
【発明が解決しようとする課題】
【０００５】
上記のような従来のシャッタスラットでは、重ねられたシャッタスラット１０同士の接触部分が狭くされ、シャッタスラット１０に傷が生じにくくされているが、出入口の開閉が繰り返されると、やはりシャッタスラット１０に傷が生じてしまう。特に、突起部９０が長手方向Ｌ全体に延在されているので、シャッタスラット１０の長手方向Ｌに沿う中間位置の意匠部分に傷が生じてしまう。この意匠部分の傷は、人目に付きやすく、シャッタスラット１０の美観を大きく損ねてしまう。
【０００６】
本発明は、上記のような課題を解決するためになされたものであり、その目的は、シャッタスラットの意匠部分に傷が生じることを防止でき、より確実に美観を保つことができるシャッタスラットを提供する。
【課題を解決するための手段】
【０００７】
本発明に係るシャッタスラットは、長手状のスラット本体と、このスラット本体の短手方向の両端に設けられるとともに前記スラット本体の長手方向に沿って延在されたカール形状の第１及び第２インターロック部とを有し、前記第１及び第２インターロック部が他のシャッタスラットのインターロック部に係合されることで出入口を開閉するためのシャッタカーテンを構成するとともに、前記出入口の上部に設けられた巻取部材に前記シャッタカーテンが巻き取られた際に、前記巻取部材の径方向に沿う内方又は外方に位置する他のシャッタスラットが前記スラット本体に当接されるように形成されているシャッタスラットであって、前記スラット本体の前記長手方向に沿う両側部に設けられ、前記シャッタカーテンが前記巻取部材に巻き取られた際に前記巻取部材の径方向に沿う内方又は外方に位置する他のシャッタスラットに当接されるように、前記スラット本体の板厚方向に沿って突出された突出部を備える。
【０００８】
また、前記第１及び第２インターロック部の少なくとも一方は、前記スラット本体の前記突出部が突出された側の面に連続された面が、前記巻取部材の径方向に沿う内方又は外方に位置する他のシャッタスラットに当接されるように形成されており、前記第１及び第２インターロック部の前記少なくとも一方の前記長手方向に沿う両側部には、前記少なくとも一方の前記長手方向に沿う中間部の第１外径よりも大きな第２外径を有する膨径部が設けられている。
また、前記突出部は、前記両側部が押し出されて形成されている。
また、前記突出部は、前記両側部にシート部材が貼り付けられて形成されている。
また、前記突出部は、前記両側部に前記長手方向の外方からキャップ部材が係合されて形成されている。
また、前記突出部は、前記両側部から前記長手方向に沿って延出された突片が前記両側部に重なるように折り曲げられて形成されている。
【０００９】
また、前記スラット本体の前記両側部に設けられるとともに、前記両側部の前記短手方向に沿ういずれか一方の端部に設けられた切欠部をさらに有し、前記突出部は、前記長手方向に関して前記切欠部よりも内側に設けられている。
また、前記突出部は、前記中間部の第１端面よりも前記板厚方向に沿って突出された第２端面を有しており、前記第２端面の前記短手方向に沿う両端には、前記長手方向に沿う幅が前記短手方向に沿う中間位置における幅よりも広くされた幅広部が設けられている。
また、前記突出部は、前記中間部の第１端面よりも前記板厚方向に沿って突出された第２端面を有しており、前記第２端面の延在方向は、前記短手方向に対して傾斜されている。
また、前記スラット本体は、中央板部と、前記短手方向に沿う前記中央板部の両端から屈曲された第１及び第２脚部とを有しており、前記突出部は、前記中間部の第１端面よりも前記板厚方向に沿って突出された第２端面を有しており、前記第２端面は、前記中央板部の上方において平坦に形成されている。
また、前記スラット本体の前記両側部は、前記出入口の高さ方向に沿って延在されるとともに前記高さ方向に沿う前記シャッタカーテンの変位を案内するガイドレールの案内溝内に挿入される部分であり、前記突出部は、前記両側部が前記長手方向に沿って前記案内溝の開口部から抜け出ることを規制する突出量を有している。
【発明の効果】
【００１０】
本発明のシャッタスラットによれば、シャッタカーテンが巻取部材に巻き取られた際に前記巻取部材の径方向に沿う内方又は外方に位置する他のシャッタスラットに当接されるように、スラット本体の長手方向に沿う両側部に、前記スラット本体の前記長手方向に沿う中間部よりも前記スラット本体の板厚方向に沿って突出された突出部を設けるので、シャッタカーテンが巻取部材に巻き取られた際に長手方向に沿う中間位置において他のスラットとの間に空隙を形成でき、他のシャッタスラットとの擦れによって傷が生じる可能性がある場所をガイドレールによって隠される両側のみとすることができる。従って、シャッタスラットの意匠部分に傷が生じることを防止でき、より確実に美観を保つことができる。また、意匠部分での塗装剥がれ等を防止でき、意匠部分の耐食性をより確実に維持できる。
また、中間部の第１端面よりも表面方向に突出された第２端面を有する突出部を設ける構成であるので、従来構成、すなわちシャッタスラット１０の裏面から複雑な形状の突起部９０を突出させる構成に比べて、簡易な工程で形成でき、より簡単に量産できる。
【図面の簡単な説明】
【００１１】
【図１】本発明の実施の形態１によるシャッタスラットを示す斜視図である。
【図２】図１の突出部の形成を示す説明図である。
【図３】図１のシャッタスラットを用いたシャッタ装置を示す正面図である。
【図４】図３の線ＩＶ−ＩＶに沿う断面図である。
【図５】図３の線Ｖ−Ｖに沿う断面図であり
【図６】図４のプーリにシャッタカーテンが巻き取られた状態を示す側面図である。
【図７】図６の線ＶＩＩ−ＶＩＩに沿う断面図である。
【図８】本発明の実施の形態２によるシャッタスラットを示す斜視図である。
【図９】本発明の実施の形態３によるシャッタスラットを示す斜視図である。
【図１０】本発明の実施の形態４によるシャッタスラットを示す斜視図である。
【図１１】本発明の実施の形態５によるシャッタスラットを示す斜視図である。
【図１２】図１１のシャッタスラットに他のシャッタスラットが重ねられている状態を示す断面図である。
【図１３】図１１のシャッタスラットが他のシャッタスラットと連結された状態の要部を示す平面図である。
【図１４】本発明の実施の形態６によるシャッタスラットを示す斜視図である。
【図１５】図１４の突出部と切欠部との位置関係を示す平面図である。
【図１６】本発明の実施の形態７によるシャッタスラットを示す平面図である。
【図１７】図１６の幅広部の作用を説明する説明図である。
【図１８】実施の形態７の第２端面の変形例を示す平面図である。
【図１９】本発明の実施の形態８によるシャッタスラットを示す平面図である。
【図２０】図１９の延在方向の作用を説明する説明図である。
【図２１】本発明の実施の形態９によるシャッタスラットを示す側面図である。
【図２２】従来のシャッタスラットを示す側面図である。
【発明を実施するための形態】
【００１２】
以下、本発明を実施するための形態について、図面を参照して説明する。
実施の形態１．
図１は、本発明の実施の形態１によるシャッタスラット１０を示す斜視図である。なお、従来構成と同一又は同等部分については同一の符号を用いて説明する。図において、シャッタスラット１０には、長手状のスラット本体１と、このスラット本体１の短手方向Ｓの両端に設けられるとともに前記スラット本体１の長手方向Ｌに沿って延在されたカール形状の第１及び第２インターロック部２，３とが設けられている。なお、前記長手方向Ｌは、前記シャッタスラット１０が構成するシャッタカーテン４０（図３及び図４参照）の幅方向Ｗに沿う方向であり、前記短手方向Ｓは、前記シャッタカーテン４０の高さ方向Ｈに沿う方向である。前記スラット本体１は、断面波形の中央板部１ａと、この中央板部１ａの両端から裏面方向Ｂに向かって屈曲された第１脚部１ｂ及び第２脚部１ｃとから構成されている。前記第１インターロック部２は、前記第１脚部１ｂの端部に一体に設けられており、表面方向Ｆに向かってカールされている。前記第２インターロック部３は、前記第２脚部１ｃの端部に一体に設けられており、前記裏面方向Ｂに向かってカールされている。
【００１３】
前記スラット本体１の前記長手方向Ｌに沿う両側部１ｓには、突出部５が設けられている。各突出部５は、前記スラット本体１の前記長手方向Ｌに沿う中間部１ｍよりも前記スラット本体１の板厚方向Ｔに沿って表面方向Ｆに向かって突出されている。すなわち、各突出部５は、前記中間部１ｍの第１端面Ｓ１よりも表面方向Ｆに向かって突出された第２端面Ｓ２を有している。また、前記突出部５は、前記長手方向Ｌに沿う前記スラット本体１の両端よりも前記長手方向Ｌに沿う内方に設けられている。
【００１４】
次に、図１のシャッタスラット１０の製造方法について説明する。
図２は、図１の突出部５の形成を示す説明図である。図において、下金型２２の前記長手方向Ｌに沿う両側には、前記下金型２２の前記長手方向Ｌに沿う中間位置に比べて突出された押出金型２３が一体に設けられている（図２では片側のみを示している）。上金型２１の前記長手方向Ｌに沿う両側には、前記押出金型２３に対応した凹部２３ａが設けられている。すなわち、前記突出部５（図１参照）は、前記スラット本体１の前記両側部１ｓが前記押出金型２３によって押し出されることで形成される。
【００１５】
次に、図１のシャッタスラット１０を用いたシャッタ装置について説明する。
図３は、図１のシャッタスラット１０を用いたシャッタ装置を示す正面図であり、図４は、図３の線ＩＶ−ＩＶに沿う断面図であり、図５は、図３の線Ｖ−Ｖに沿う断面図であり、図６は、図４のプーリ３２にシャッタカーテン４０が巻き取られた状態を示す側面図である。
図３において、シャッタ装置によって開閉される出入口の上方には巻取機構３０が配置されている。この巻取機構３０は、シャフト３１と、巻取部材である一対のプーリ３２と、一対のスプリング３３とによって構成されている。前記シャフト３１は、図示しない軸受けによって支持されており、前記プーリ３２及び前記スプリング３３は前記シャフト３１の両側に取り付けられている。
【００１６】
前記プーリ３２にはシャッタカーテン４０の上端が連結されている。図４に示すように、シャッタカーテン４０は、前記第１インターロック部２と前記第２インターロック部３とがそれぞれ係合されることで互いに連結された複数のシャッタスラット１０から構成されている。なお、図４では、スプリング３３の記載を省略している。前記出入口が開かれる際には、前記シャッタカーテン４０が前記プーリ３２に巻き取られる（図６参照）。
【００１７】
図３に戻り、前記スプリング３３は、前記出入口が開かれる際に、前記シャッタカーテン４０を巻き取る回転方向に前記シャフト３１を付勢する。前記シャッタカーテン４０の幅方向Ｗに沿う両側には、一対のガイドレール５０が配置されている。このガイドレール５０は、前記シャッタカーテン４０が前記出入口の高さ方向Ｈに沿って変位される際に前記各シャッタスラット１０の長手方向Ｌに沿う両側１０ｓを案内する。すなわち、前記各シャッタスラット１０の前記両側１０ｓはガイドレール５０によって隠されており、前記各シャッタスラット１０の長手方向Ｌに沿う中間位置１０ｍの意匠部分１０ｄが前記ガイドレール５０間で露出されている。
【００１８】
図５に示すように、ガイドレール５０の内部には前記出入口の高さ方向Ｈに沿って延在された案内溝５０ａが設けられており、スラット本体１の両側部１ｓは案内溝５０ａ内に挿入されている。案内溝５０ａは、ガイドレール５０の内外を連通する開口部５０ｂを有しており、開口部５０ｂにはスラット本体１が挿通されている。突出部５を含めた両側部１ｓの奥行方向Ｄｅに沿う幅１ｗは、開口部５０ｂの開口幅５０ｃよりも大きくされている。すなわち、突出部５は、両側部１ｓが長手方向Ｌに沿って案内溝５０ａの開口部５０ｂから抜け出ることを規制する突出量を有している。
【００１９】
図６に示すように、前記シャッタカーテン４０が前記プーリ３２に巻き取られた際には、複数のシャッタスラット１０が前記プーリ３２の径方向Ｄに沿って重ねられる。ここで、複数のシャッタスラット１０の中の１つを第１シャッタスラット１０１と呼び、この第１シャッタスラット１０１に連結されるとともに前記プーリ３２の周方向Ｃに沿って隣り合うシャッタスラット１０を第２シャッタスラット１０２と呼ぶ。また、前記第１シャッタスラット１０１よりも前記径方向Ｄに沿う内方に位置し、前記第１シャッタスラット１０１が重ねられたシャッタスラット１０を第３シャッタスラット１０３と呼ぶ。
【００２０】
前記第１シャッタスラット１０１の第１インターロック部２は、前記第２シャッタスラット１０２の第２インターロック部３よりも裏面方向Ｂ（前記径方向Ｄの内側）に位置する。これは、第１インターロック部２が表面方向Ｆに向かってカールされ、第２インターロック部３が裏面方向Ｂに向かってカールされているためである。前記第３シャッタスラット１０３のスラット本体１には、前記シャッタカーテン４０が前記プーリ３２に巻き取られた際に、前記第３シャッタスラット１０３よりも前記径方向Ｄに沿う外方に位置する前記第１シャッタスラット１０１の第１インターロック部２が当接される。
【００２１】
次に、図７は、図６の線ＶＩＩ−ＶＩＩに沿う断面図である。図において、前記第１シャッタスラット１０１は前記第３シャッタスラット１０３の上に重ねられている。前記第１シャッタスラット１０１の前記第１インターロック部２は、前記長手方向Ｌに沿う前記両側１０ｓで、前記第３シャッタスラット１０３の前記突出部５に当接されている。つまり、前記突出部５は、前記シャッタカーテン４０が前記巻取部材３２に巻き取られた際に前記巻取部材３２の径方向Ｄに沿う外方に位置する他のシャッタスラットに当接されるように、前記中間部１ｍよりも板厚方向Ｔに沿って突出されている。前記長手方向Ｌに沿う前記中間位置１０ｍには、前記第１シャッタスラット１０１と前記第３シャッタスラット１０３との間に空隙６０が形成されている。すなわち、前記第２シャッタスラット１０２の意匠部分１０ｄは、前記第１シャッタスラット１０１に対して非接触とされている。これにより、第３シャッタスラット１０３の意匠部分１０ｄに前記第１シャッタスラット１０１の第１インターロック部２が接触することを防止し、この意匠部分１０ｄに傷が発生することを防止している。
【００２２】
なお、図６では、シャッタカーテン４０が正巻きされる場合を示しているが、周知のようにシャッタカーテン４０は逆巻きされる場合もある。シャッタカーテン４０が逆巻きされる場合、前記第３シャッタスラット１０３の前記突出部５は、第３シャッタスラット１０３よりも前記径方向Ｄに沿う内方に位置する第４シャッタスラットに当接される。すなわち、前記突出部５は、前記シャッタカーテン４０が前記巻取部材３２に巻き取られた際に前記巻取部材３２の径方向Ｄに沿う内方又は外方に位置する他のシャッタスラットに当接されるように、前記中間部１ｍよりも板厚方向Ｔに沿って突出されている。
【００２３】
このようなシャッタスラット１０では、スラット本体１の長手方向Ｌに沿う両側部１ｓに、シャッタカーテン４０がプーリ３２に巻き取られた際に前記プーリ３２の径方向Ｄに沿う内方又は外方に位置する他のシャッタスラットに当接されるように、前記スラット本体１の前記長手方向Ｌに沿う中間部１ｍよりも板厚方向Ｔに沿って突出された突出部５を設けるので、シャッタカーテン４０がプーリ３２に巻き取られた際に長手方向Ｌに沿う中間位置１０ｍにおいて他のスラットとの間に空隙６０を形成でき、他のシャッタスラットとの擦れによって傷が生じる可能性がある場所をガイドレールによって隠される両側１０ｓのみとすることができる。従って、シャッタスラット１０の意匠部分１０ｄに傷が生じることを防止でき、より確実に美観を保つことができる。また、意匠部分１０ｄでの塗装剥がれ等を防止でき、意匠部分１０ｄの耐食性をより確実に維持できる。
また、中間部１ｍのよりも表面方向Ｆに突出された突出部５を両側部１ｓに設ける構成であるので、従来構成、すなわちシャッタスラット１０の裏面１０ｂから複雑な形状の突起部９０を突出させる構成に比べて、簡易な工程で形成でき、より簡単に量産できる。
【００２４】
また、前記突出部５は、前記両側部１ｓが押し出されて形成されているので、前記突出部５を形成するための工程を容易に組み込むことができ、より確実に量産を簡単にできる。
【００２５】
さらに、突出部５は、両側部１ｓが長手方向Ｌに沿って案内溝５０ａの開口部５０ｂから抜け出ることを規制する突出量を有しているので、シャッタスラット１０をガイドレール５０から不正に取り外すことを難しくすることができ、防犯効果を向上できる。
【００２６】
実施の形態２．
図８は、本発明の実施の形態２によるシャッタスラット１０を示す斜視図である。なお、実施の形態１の構成と同一又は同等部分については同一の符号を用いて説明する。図において、スラット本体１の両側部１ｓには、板状の樹脂部材又は弾性部材であるシート部材７０が貼り付けられている。すなわち、実施の形態１では、前記両側部１ｓが押し出されることで前記突出部５が形成されていたが、この実施の形態２では、前記シート部材７０が前記両側部１ｓに貼り付けられることで前記突出部５が形成される。その他の構成は、実施の形態１と同様である。
【００２７】
このようなシャッタスラット１０では、シート部材７０が両側部１ｓに貼り付けられることで前記突出部５が形成されるので、容易に突出部５を形成でき、量産をより確実に実施できる。
【００２８】
実施の形態３．
図９は、本発明の実施の形態３によるシャッタスラット１０を示す斜視図である。なお、実施の形態１，２の構成と同一又は同等部分については同一の符号を用いて説明する。図において、スラット本体１の両側部１ｓには、前記長手方向Ｌの外方からキャップ部材８０が係合されている。このキャップ部材８０は、前記両側部１ｓに沿う波型の端面を有する樹脂部材又は弾性部材である。すなわち、この実施の形態３では、前記キャップ部材８０が前記両側部１ｓに係合されることで前記突出部５が形成される。その他の構成は、実施の形態１と同様である。
【００２９】
このように、キャップ部材８０が両側部１ｓに係合されることでも、実施の形態２と同様に突出部５を容易に形成できる。
【００３０】
実施の形態４．
図１０は、本発明の実施の形態４によるシャッタスラット１０を示す斜視図である。なお、実施の形態１〜３の構成と同一又は同等部分については同一の符号を用いて説明する。実施の形態１では、突出部５は、スラット本体１の両側部１ｓが押し出されて形成されると説明したが、この実施の形態４では、突出部５は、スラット本体１から前記長手方向Ｌに沿って延出された突片６５が折り曲げられて形成されている。その他の構成は実施の形態１と同様である。
【００３１】
このようなシャッタスラット１０では、突片６５が折り曲げられて突出部５が形成されるので、実施の形態１と同様に、前記突出部５を形成するための工程を容易に組み込むことができ、より確実に量産を簡単にできる。
【００３２】
実施の形態５．
図１１は、本発明の実施の形態５によるシャッタスラット１０を示す斜視図である。なお、実施の形態１〜４の構成と同一又は同等部分については同一の符号を用いて説明する。また、実施の形態５によるシャッタスラット１０の全体としての形状は、実施の形態１によるシャッタスラット１０と同じであるので、この実施の形態の構成を説明するのに図６を援用する。図６では、第１シャッタスラット１０１の第１インターロック部２は、第３シャッタスラット１０３のスラット本体１に当接されている。しかしながら、シャッタカーテン４０のプーリ３２への巻き具合によっては、前記第１シャッタスラット１０１の前記第１インターロック部２は、前記第３シャッタスラット１０３の第２インターロック部３の表面に当接されることもある。すなわち、前記第２インターロック部３は、前記突出部５が突出された側の前記スラット本体１の面に連続された面（表面）が、前記巻取部材３２の径方向Ｄに沿う内方又は外方に位置する他のシャッタスラットに当接されるように形成されている。
【００３３】
図１１に示すように、前記第２インターロック部３の長手方向Ｌに沿う両側部３ｓに膨径部６が設けられている。膨径部６は、前記第２インターロック部３の前記長手方向Ｌに沿う中間部３ｍの第１外径Ｒ１よりも大きな第２外径Ｒ２を有している。なお、前記膨径部６は、前記両側部３ｓが拡開されることで形成されているが、両側部３ｓへのシート部材の貼り付け、及び前記両側部３ｓへのキャップ部材の係合でも形成できる。また、前記膨径部６は、前記両側部３ｓから前記長手方向Ｌに沿って延出された突片が前記両側部３ｓに重なるように折り曲げられて形成されてもよい。
【００３４】
次に、図１２は、図１１のシャッタスラット１０に他のシャッタスラットが重ねられている状態を示す断面図である。図１２において、第３シャッタスラット１０３（図１０のシャッタスラット１０）の第２インターロック部３の上には、第１シャッタスラット１０１（他のシャッタスラット）の第１インターロック部２が重ねられている。前記第２インターロック部３に設けられた膨径部６は、前記長手方向Ｌに沿う前記両側１０ｓで前記第１インターロック部２に当接されており、前記長手方向Ｌに沿う前記中間位置１０ｍにおいて前記第１シャッタスラット１０１と前記第３シャッタスラット１０３との間に空隙６０を形成している。すなわち、前記第２インターロック部３に設けられた前記膨径部６は、前記第１シャッタスラット１０１と前記第３シャッタスラット１０３との間に空隙６０を形成するという前記突出部５の機能を第２インターロック部３にまで延長し、意匠部分１０ｄの傷つきを防止する。
【００３５】
次に、図１３は、図１１のシャッタスラット１０が他のシャッタスラットと連結された状態の要部を示す平面図であり、図６における第１及び第２シャッタスラット１０１，１０２を径方向Ｄの外方から見た状態を示している。図６に示すように、前記第２シャッタスラット１０２の前記第２インターロック部３は、前記シャッタカーテン４０が前記プーリ３２に巻き取られた際に、前記プーリ３２の周方向Ｃに沿って隣り合う第１シャッタスラット１０１のスラット本体１に当接される。詳細には、図１３に示すように、第２シャッタスラット１０２（図１１のシャッタスラット１０）の第２インターロック部３に設けられた膨径部６は、第１シャッタスラット１０１の第１脚部１ｂに当接される。前記膨径部６は、シャッタスラット１０１，１０２の長手方向Ｌに沿う中間位置１０ｍにおいて、第１シャッタスラット１０１の第１脚部１ｂとの間に空隙６１を形成する。
すなわち、前記膨径部６は、連結されたシャッタスラット同士が擦れ合うことで意匠部分１０ｄに傷が付くことも防止する。その他の構成は、実施の形態１と同様である。
【００３６】
なお、図６及び図１１では、第１インターロック部２が表面方向Ｆに向かってカールされ、第２インターロック部３が裏面方向Ｂに向かってカールされている形態を示しているが、シャッタカーテン４０を構成するために、両側のインターロック部が表面方向にカールされた連結用シャッタスラット（図示せず）を用いれば、第１及び第２インターロック部２，３の両方が裏面方向Ｂに向かってカールされてもよい。この場合、第１及び第２インターロック部２，３の両方が前記径方向Ｄに沿う内方又は外方に位置する他のシャッタスラットに当接されるように形成されるので、前記膨径部６は第１及び第２インターロック部２，３の両方に形成されてよい。すなわち、前記膨径部６は、前記周方向Ｃに沿って隣り合う他のシャッタスラットに当接される、第１及び第２インターロック部２，３の少なくとも一方に設けられればよい。
【００３７】
このようなシャッタスラット１０では、前記巻取部材３２の径方向Ｄに沿う内方又は外方に位置する他のシャッタスラットに表面が当接されように形成された第１及び第２インターロック部２，３の少なくもと一方の両側部３ｓに、前記少なくとも一方の中間部３ｍの第１外径Ｒ１よりも大きな第２外径Ｒ２を有する膨径部６を設けるので、他のシャッタスラットがインターロック部２，３に当接される場合でも空隙６０を形成でき、意匠部分１０ｄでの傷つきを防止できる。
また、シャッタカーテン４０がプーリ３２に巻き取られた際に、前記周方向Ｃに沿って隣り合う他のシャッタスラットとの間に空隙６１を形成でき、連結されたシャッタスラット同士が擦れ合うことで意匠部分１０ｄに傷が付くことも防止できる。
【００３８】
実施の形態６．
図１４は、本発明の実施の形態６によるシャッタスラット１０を示す斜視図であり、図１５は、図１４の突出部５と切欠部２００との位置関係を示す平面図である。なお、実施の形態１〜５の構成と同一又は同等部分については同一の符号を用いて説明する。図１４において、シャッタスラット１０は、スラット本体１の両側部１ｓに設けられるとともに、両側部１ｓの短手方向Ｓに沿う第１インターロック部２の側の端部に設けられた切欠部２００をさらに有している。すなわち、この実施の形態６のシャッタスラット１０では、両側部１ｓにおいて第１脚部１ｂ及び第１インターロック部２の一部が切り欠けられている。
【００３９】
切欠部２００は、シャッタスラット１０の連結に利用されるものである。すなわち、図６のように、第１シャッタスラット１０１の第１インターロック部２に第２シャッタスラット１０２の第２インターロック部３が係合された後に、前記第１シャッタスラット１０１の切欠部２００によって形成された空間を利用して前記第２シャッタスラット１０２の両側部１ｓにおいて第２インターロック部３に抜け防止加工を行うことで、前記第２インターロック部３が前記第１インターロック部２から抜けることが防止される。
【００４０】
図１５に示すように、突出部５は、長手方向Ｌに関して切欠部２００よりも内側に設けられている。換言すると、長手方向Ｌに沿う突出部５の内側端部５ａは、切欠部２００の内側端部７ａよりも内側に位置されている。なお、図１５では、長手方向Ｌに沿う突出部５の外側端部５ｂも切欠部２００の内側端部７ａよりも内側に位置されるように示しているが、外側端部５ｂは切欠部２００の内側端部７ａよりも外側に位置されていてもよい。
【００４１】
このようなシャッタスラット１０では、突出部５が長手方向Ｌに関して切欠部２００よりも内側に設けられているので、図６に示すようにシャッタカーテン４０がプーリ３２に巻き取られる際に、突出部５が他のシャッタスラットの切欠部２００と干渉することを回避できる。すなわち、突出部５が他のシャッタスラットの切欠部２００に嵌り込んでしまい、突出部５以外の部分が他のシャッタスラットに当接されることを回避でき、意匠部分１０ｄに傷が生じることをより確実に防止できる。
【００４２】
実施の形態７．
図１６は、本発明の実施の形態７によるシャッタスラット１０を示す平面図である。なお、実施の形態１〜６の構成と同一又は同等部分については同一の符号を用いて説明する。図において、突出部５の第２端面Ｓ２の短手方向Ｓに沿う両端には幅広部２１０が設けられており、第２端面Ｓ２の短手方向Ｓに沿う中央位置にはくびれ部２１１が設けられている。幅広部２１０は、長手方向Ｌに沿う幅２１２が短手方向Ｓに沿う中間位置における幅２１３よりも広くされた部分である。中間位置における幅２１３は、幅広部２１０からくびれ部２１１に向けて連続して狭くされている。
【００４３】
次に、図１７は、図１６の幅広部２１０の作用を説明する説明図である。図において、一点鎖線で示す第２端面Ｓ２は、図６に示すようにシャッタカーテン４０がプーリ３２に巻き取られる際に内径側に位置するシャッタスラット（図６の第３シャッタスラット１０３に相当）の第２端面（内径側端面Ｓ２１と呼ぶ）であり、実線で示す第２端面Ｓ２は外径側に位置するシャッタスラット（図６の第１シャッタスラット１０１に相当）の第２端面（外径側端面Ｓ２２と呼ぶ）である。
【００４４】
シャッタカーテン４０がプーリ３２に巻き取られる際には、外径側端面Ｓ２２は、短手方向Ｓ（巻取方向２１４）に沿って移動される。このとき、各端面Ｓ２１，Ｓ２２の両端に幅広部２１０が設けられているので、内径側端面Ｓ２１と外径側端面Ｓ２２とが完全に重ならない限り、内径側端面Ｓ２１が外径側端面Ｓ２２の裏側に嵌り込まない。
【００４５】
このようなシャッタスラット１０では、第２端面Ｓ２の短手方向Ｓに沿う両端に幅広部２１０が設けられているので、シャッタカーテン４０がプーリ３２に巻き取られる際に内径側端面Ｓ２１が外径側端面Ｓ２２の裏側に嵌り込む頻度を小さくできる。これにより、内径側端面Ｓ２１が外径側端面Ｓ２２の裏側に嵌り込み、突出部５以外の箇所が他のシャッタスラットに当接される可能性を小さくでき、意匠部分１０ｄに傷が生じることをより確実に防止できる。
【００４６】
なお、実施の形態７では、中間位置における幅２１３が幅広部２１０からくびれ部２１１に向けて連続して狭くされている形態を説明したが、例えば図１８に示すように第２端面Ｓ２をドッグボーン形状としてもよい。
【００４７】
実施の形態８．
図１９は、本発明の実施の形態８によるシャッタスラット１０を示す平面図である。なお、実施の形態１〜７の構成と同一又は同等部分については同一の符号を用いて説明する。実施の形態７では、内径側端面Ｓ２１が外径側端面Ｓ２２の裏側に嵌り込む頻度を小さくするために、第２端面Ｓ２の両端に幅広部２１０を設けたが、この実施の形態８のシャッタスラット１０では、図１９に示しているように、第２端面Ｓ２の延在方向２２０をシャッタスラット１０の短手方向Ｓに対して傾斜させている。なお、延在方向２２０とは、第２端面Ｓ２の幅中央点２２１を繋いだ線に沿う方向である。
【００４８】
次に、図２０は、図１９の延在方向２２０の作用を説明する説明図である。図において、シャッタカーテン４０がプーリ３２に巻き取られる際には、外径側端面Ｓ２２は、短手方向Ｓ（巻取方向２１４）に沿って移動される。このとき、各端面Ｓ２１，Ｓ２２の延在方向２２０が短手方向Ｓ（巻取方向２１４）に対して傾斜されているので、内径側端面Ｓ２１と外径側端面Ｓ２２とが完全に重ならない限り、内径側端面Ｓ２１が外径側端面Ｓ２２の裏側に嵌り込まない。
【００４９】
このように、延在方向２２０を短手方向Ｓに対して傾斜させることでも、内径側端面Ｓ２１が外径側端面Ｓ２２の裏側に嵌り込む頻度を小さくでき、意匠部分１０ｄに傷が生じることを防止できる。
【００５０】
実施の形態９．
図２１は、本発明の実施の形態９によるシャッタスラット１０を示す側面図である。なお、実施の形態１〜８の構成と同一又は同等部分については同一の符号を用いて説明する。実施の形態１では、図１に示すように、突出部５の第２端面Ｓ２の形状が中央板部１ａの形状に合わせて断面波形とされていたが、この実施の形態９では、図２１に示すように、第２端面Ｓ２は、中央板部１ａの上方において平坦に形成されている。これは、シャッタカーテン４０がプーリ３２に巻き取られ、例えば図中一点鎖線で示す第１インターロック部２等の他のシャッタスラットの当接部分２３０が巻取方向２１４に沿って第２端面Ｓ２上を摺動される際に、当接部分２３０が板厚方向Ｔに沿って変動せずにスムーズに第２端面Ｓ２上を摺動できるようにするためである。なお、図２１では、中央板部１ａの上方のみで第２端面Ｓ２が平坦に形成されているように示しているが、中央板部１ａだけでなく第１及び第２脚部１ｂ，１ｃの上方まで平坦にされていてもよい。
【００５１】
このようなシャッタスラット１０では、第２端面Ｓ２が中央板部１ａの上方において平坦に形成されているので、他のシャッタスラットの当接部分２３０が第２端面Ｓ２上をスムーズに摺動でき、プーリ３２に巻き取られる際にシャッタスラット１０に作用する力を小さくできる。これにより、シャッタスラット１０に撓み等の変形が生じる可能性を小さくでき、突出部５以外の箇所が他のシャッタスラットに当接される可能性をより小さくできる。
【００５２】
なお、実施の形態１〜９では、シャッタスラットが断面略コ字状に形成されるように説明したが、周知のように、シャッタスラットの形状は、例えば断面略平板状やより複雑な屈曲形状等でもよい。
【符号の説明】
【００５３】
１  スラット本体
１ｓ  両側部
１ｍ  中間部
２，３  第１及び第２インターロック部
５  突出部
６  膨径部
２３  押出金型
３２  プーリ（巻取部材）
４０  シャッタカーテン
５０  ガイドレール
５０ａ  案内溝
５０ｂ  開口部
６５  突片
７０  シート部材
８０  キャップ部材
２００  切欠部
２１０  幅広部
２２０  延在方向
Ｄ  径方向
Ｌ  長手方向
Ｔ  板厚方向
Ｓ１  第１端面
Ｓ２  第２端面
【図１】
2010133228.tif 000003
【図２】
2010133228.tif 000004
【図３】
2010133228.tif 000005
【図４】
2010133228.tif 000006
【図５】
2010133228.tif 000007
【図６】
2010133228.tif 000008
【図７】
2010133228.tif 000009
【図８】
2010133228.tif 000010
【図９】
2010133228.tif 000011
【図１０】
2010133228.tif 000012
【図１１】
2010133228.tif 000013
【図１２】
2010133228.tif 000014
【図１３】
2010133228.tif 000015
【図１４】
2010133228.tif 000016
【図１５】
2010133228.tif 000017
【図１６】
2010133228.tif 000018
【図１７】
2010133228.tif 000019
【図１８】
2010133228.tif 000020
【図１９】
2010133228.tif 000021
【図２０】
2010133228.tif 000022
【図２１】
2010133228.tif 000023
【図２２】
2010133228.tif 000024